【事件の表示】
　特許第３１２８９６５号「アクティブマトリクス液晶表示装置」の請求項１ないし４に係る特許に対する特許異議の申立てについて、次のとおり決定する。
【結　論】
　訂正を認める。
　特許第３１２８９６５号の請求項１ないし４に係る特許を取り消す。
【理　由】
１．手続の経緯
　本件特許第3128965号の特許請求の範囲の請求項1〜4に係る発明は、平成4年6月25日に特許出願され、平成12年11月17日に設定登録され、その後、吉村博好及びセイコーエプソン株式会社より特許異議の申立がなされ、取消理由通知がなされ、その指定期間内である平成13年12月3日に訂正請求がなされたものである。
２．訂正請求について
　ア．訂正の内容
　訂正事項ａ
　特許明細書の特許請求の範囲を以下の様に訂正する。
「【特許請求の範囲】
【請求項１】信号ラインとゲートラインが行列状に配列され、各交点に画素電極及びこの画素電極を駆動する画素トランジスタを有する一方の基板と、対向電極を有し前記一方の基板と対向配置された他方の基板と、両方の基板に保持された液晶層とを有する点順次駆動型のアクティブマトリクス液晶表示装置において、
　各行の画素電極に保持された画像信号の電位を書き換える前に所定の電位に調整する放電用素子を各信号ラインに接続し、画像信号の反転に応じて信号ラインの電位を異なる２レベルの所定電位に切り換える手段を、前記放電用素子に接続した構成であって、
　対向電極の電位をＶｃｏｍとし、画像信号の電位がＶｃｏｍに対して＋Ｖと−Ｖの間で反転するとき、該異なる２レベルの所定電位は、Ｖｃｏｍ＋Ｖ／２とＶｃｏｍ−Ｖ／２とに設定する事を特徴とするアクティブマトリクス液晶表示装置。
【請求項２】前記画素トランジスタが多結晶半導体膜からなる薄膜トランジスタであるとともに、前記一方の基板上に水平駆動回路及び垂直駆動回路が形成されている事を特徴とする請求項１記載のアクティブマトリクス液晶表示装置
【請求項３】前記放電用素子。薄膜トランジスタから構成されている事を特徴とする請求項２記載の液晶表示装置。
【請求項４】信号ラインとゲートラインが行列状に配列され、各交点に画素電極及びこの画素電極を駆動する画素トランジスタを有する一方の基板と、対向電極を有し前記一方の基板と対向配置された他方の基板と、両方の基板に保持された液晶層とを有する点順次駆動型のアクティブマトリクス液晶表示装置の駆動方法において、
　（ｊ−１）行目の画素電極に画像信号を書き込んだ後、ｊ行目の画素電極に画像信号を書き込む直前信号ラインを介して当該ｊ行目の画素電極に保持されていた前の電荷を放電し、且つ画像信号の反転に応じて信号ラインの電位を異なる２レベルの電位に切換える方法であって、
　対向電極の電位をＶｃｏｍとし、画像信号の電位がＶｃｏｍに対して＋Ｖと−Ｖの間で反転するとき、該異なる２レベルの電位を、Ｖｃｏｍ＋Ｖ／２とＶｃｏｍ−Ｖ／２とに設定する事を特徴とするアクティブマトリクス液晶表示装置の駆動方法。」
　訂正事項ｂ
　特許明細書の段落【０００６】、【００１６】及び【００１７】を以下の様に訂正する。
「【０００６】
【課題を解決するための手段】
　上述した従来の技術の課題に鑑み、本発明は点順次駆動型のアクティブマトリクス液晶表示装置の極性反転駆動を行なう際画像信号の書き込み動作を安定化する事を目的とする。かかる目的を達成する為に以下の手段を講じた。即ち、本発明にかかるアクティブマトリクス液晶表示装置は、基本的な構成要素として、信号ラインとゲートラインが行列状に配列され各交点に画素電極及びこの画素電極を駆動する画素トランジスタを有する一方の基板と、対向電極を有し前記一方の基板と対向配置された他方の基板と、両方の基板に保持された液晶層とから構成されている。本発明の特徴事項として、各行の画素電極に保持される画像信号の電位を書き換える前に所定の電位に調整する放電用素子を各信号ラインに接続するという手段を講じた。さらに、画像信号の反転に応じて信号ラインの電位を異なる２レベルの所定電位に切り換える手段を、前記放電用素子に接続した。ここで、対向電極の電位をＶｃｏｍとし、画像信号の電位がＶｃｏｍに対して＋Ｖと−Ｖの間で反転するとき、該異なる２レベルの所定電位は、Ｖｃｏｍ＋Ｖ／２とＶｃｏｍ−Ｖ／２とに設定する。」
「【００１６】
　図５は本発明にかかるアクティブマトリクス液晶表示装置の実施例を示す模式的なブロック図である。基本的に、図１と同一の構成を有しており、理解を容易にする為に対応する部分には対応する参照番号あるいは参照符号を付してある。図１と異なる点は、放電用トランジスタ７のソース電極が対向電極に接続されているのではなく、共通の切り換えスイッチＳＷを介して選択的に異なった２レベルの定電位ラインに接続されている事である。２つの異なった電位レベルは、Ｖｃｏｍ＋Ｖ／２とＶｃｏｍ−Ｖ／２とに設定されている。この切り換えスイッチＳＷは極性反転に応じて交互に切り換え駆動される。例えば、（ｊ−１）行目で正極性の画像信号を書き込む場合にはＶｃｏｍ＋Ｖ／２側に切り換えられ、ｊ行目で負極性の画像信号を書き込む場合にはＶｃｏｍ−Ｖ／２側に接続される。この様にすると、ｊ行目の書き込み動作を開始する直前に、各画素の電位はＶｃｏｍ−Ｖ／２にリセットされる。従って、各画素に充電する電荷は最大でＶ／２に相当する分で良く、一層書き込み効率が改善できる。」
「【００１７】
【発明の効果】
　以上説明した様に、本発明によれば、アクティブマトリクス液晶表示装置において、各信号ライン毎に画像信号サンプリング用の水平スイッチトランジスタとは別に、追加の放電用トランジスタを接続し、各行の書き込み動作を行なう直前に、一旦当該行の画素に保持されていた信号電荷を放電する様にしている。即ち、画像信号を書き込む直前に極性反転に応じて信号ラインの電位は異なる２レベルの電位としてＶｃｏｍ＋Ｖ／２とＶｃｏｍ−Ｖ／２とにリセットされる。従って、極性反転された画像信号を画素に書き込む際には従来必要と。た電荷量のＶ／２程度の電荷を充電すれば良く、書き込み不足による輝点欠陥やムラ不良を改善する事ができ、均一な表示画面を得る事が可能になるという効果がある。」
　イ．訂正の目的の適否、新規事項の追加及び特許請求の範囲の拡張又は変更の存否
　訂正事項ａについて
　この訂正事項ａは、請求項１に係る発明を「対向電極の電位をＶｃｏｍとし、画像信号の電位がＶｃｏｍに対して＋Ｖと−Ｖの間で反転するとき、該異なる２レベルの所定電位は、Ｖｃｏｍ＋Ｖ／２とＶｃｏｍ−Ｖ／２とに設定する事」に減縮するものであり、該事項は特許明細書段落【００１５】及び【００１６】の記載から直接的かつ一義的に導き出せる事項であるから、新規事項を追加するものでなく、特許請求の範囲を実質的に拡張又は変更するものでもない。
　訂正事項ｂについて
　この訂正事項ｂは、上記訂正事項ａに整合するように特許明細書の段落【０００６】、【００１６】及び【００１７】の記載を訂正するものであるから、明りょうでない記載の釈明に該当し、新規事項を追加するものでなく、特許請求の範囲を実質的に拡張又は変更するものでもない。
　ハ．むすび
　以上のとおり、上記訂正請求は、特許法第120条の4第2項及び同条第3項で準用する第126条第2項及び第3項の規定に適合するので、当該訂正を認める。
３．異議申立について
　ア．異議申立の理由の概要
　異議申立人 吉村博好は、証拠として甲第1及び2号証（当審が取消の理由において引用した刊行物1及び2）を提出し、そして、異議申立人 セイコーエプソン株式会社は、証拠として甲第1〜6号証（同刊行物3〜8）を提出し、本件発明1〜4は、特許法第29条第2項若しくは同法第39条の規定に違反して特許されたものであるから、それらの特許は取り消されるべき旨主張している。
　イ．本件発明について
　訂正後の本件特許明細書の特許請求の範囲の請求項1〜4に係る発明（以下、本件発明1〜4という。）は次のとおりである。
　「【請求項１】　信号ラインとゲートラインが行列状に配列され、各交点に画素電極及びこの画素電極を駆動する画素トランジスタを有する一方の基板と、対向電極を有し前記一方の基板と対向配置された他方の基板と、両方の基板に保持された液晶層とを有する点順次駆動型のアクティブマトリクス液晶表示装置において、
　各行の画素電極に保持された画像信号の電位を書き換える前に所定の電位に調整する放電用素子を各信号ラインに接続し、画像信号の反転に応じて信号ラインの電位を異なる２レベルの所定電位に切り換える手段を、前記放電用素子に接続した構成であって、
　対向電極の電位をＶｃｏｍとし、画像信号の電位がＶｃｏｍに対して＋Ｖと−Ｖの間で反転するとき、該異なる２レベルの所定電位は、Ｖｃｏｍ＋Ｖ／２とＶｃｏｍ−Ｖ／２とに設定する事を特徴とするアクティブマトリクス液晶表示装置。
【請求項２】　前記画素トランジスタが多結晶半導体膜からなる薄膜トランジスタであるとともに、前記一方の基板上に水平駆動回路及び垂直駆動回路が形２ｒ成されている事を特徴とする請求項１記載のアクティブマトリクス液晶表示装置
【請求項３】　前記放電用素子。薄膜トランジスタから構成されている事を特徴とする請求項２記載の液晶表示装置。
【請求項４】信号ラインとゲートラインが行列状に配列され、各交点に画素電極及びこの画素電極を駆動する画素トランジスタを有する一方の基板と、対向電極を有し前記一方の基板と対向配置された他方の基板と、両方の基板に保持された液晶層とを有する点順次駆動型のアクティブマトリクス液晶表示装置の駆動方法において、
　（ｊ−１）行目の画素電極に画像信号を書き込んだ後、ｊ行目の画素電極に画像信号を書き込む直前信号ラインを介して当該ｊ行目の画素電極に保持されていた前の電荷を放電し、且つ画像信号の反転に応じて信号ラインの電位を異なる２レベルの電位に切換える方法であって、
　対向電極の電位をＶｃｏｍとし、画像信号の電位がＶｃｏｍに対して＋Ｖと−Ｖの間で反転するとき、該異なる２レベルの電位を、Ｖｃｏｍ＋Ｖ／２とＶｃｏｍ−Ｖ／２とに設定する事を特徴とするアクティブマトリクス液晶表示装置の駆動方法。」
　ウ．取消理由通知に引用した刊行物1〜8に記載の事項
　取消理由通知に引用した刊行物1（異議申立人 吉村博好が証拠として提出した甲第1号証（特開昭63-41829号公報））には次の事項が記載されているか、若しくは、読みとることができる。
「行ラインと列ラインとの各交点にスイッチング素子を配したアクティブマトリクス液晶表示体は、点順次駆動の場合を示しておりＸＴ〜Ｘｎは映像信号電圧をｎ本の列ラインに供給するタイミングを示している。」（３頁左上欄１８行〜２０行、第９図）
「行ラインが選択されて列ラインが選択されるまでの時間内に発生する制御信号１０７によって、信号電圧１０９が各列ラインに同時に供給される。」（３頁左下１９行〜同頁右下欄３行）
「ある水平期間の初期に、制御信号７０４によって、アナログスイツチ７０５、７０７・・・７０９が一斉にＯＮして、信号電圧７０３が、各列ライン７１７、７１８、７１９へ同時に供給される。」（４頁右下欄４行〜７行、図７）
「列ラインと反対側の液晶端子電圧６００に対して、＋側の信号電圧６０３の絶対値が−側の信号電圧６０４の絶対値より大きくなるように設定する」（４頁右上欄１７行〜２０行、図６）
「前記行ラインを選択するための行選択信号を出力する行制御回路と、前記行選択信号が出力されている期間内に映像信号電圧を前記列ラインに供給する列制御回路」（３頁左上欄６行〜１０行）
「７０５、７０６・・・７１０は、各々の列ライン７１７・・・７１９へ、映像信号電圧或いは信号電圧を供給するための選択用アナログスイッチである」（４頁左下欄１９行〜同頁右下欄１行、図７）
　取消理由通知に引用した刊行物2（異議申立人 吉村博好が証拠として提出した甲第2号証（特開平3-293641号公報））には次の事項が記載されているか、若しくは、読みとることができる。
「駆動回路とＴＦＴアレイとを同一基板上に形成したアクティブマトリクス表示装置の基本的構造の模式図を、第３図に示す。この表示装置では基板１１上に、ゲート駆動回路５４、ソース駆動回路５５、及びＴＦＴアレイ部５３が形成されている。ＴＦＴアレイ部５３には、ゲート駆動回路５４から延びる多数の平行するゲートバス配線１が配設されている。ソース駆動回路５５からは多数のソースバス配線２が、ゲートバス配線１に直交して配設されている。ソースバス配線２と、ゲートバス配線１、１と付加容量配線８とに囲まれた矩形の領域には、ＴＦＴ２５絵素５７，及び付加容量２７が設けられている。ＴＦＴ２５のドレイン電極に接続された絵素電極と対向基板上の対向電極との間に液晶が封入され、絵素５７が構成されている。」（２頁左上欄９行〜同頁右上欄８行）
「この表示装置では、ガラス基板１１上に、チャネル層１２及び容量用下部電極５からなる多結晶シリコン薄膜３０が形成される。（３頁左上欄図５）
　取消理由通知に引用した刊行物3（異議申立人 セイコーエプソン株式会社が証拠として提出した甲第1号証（特開平3-235989号公報））には次の事項が記載されているか、若しくは、読みとることができる。
「液晶パネル１２５は横方向（水平走査方向）に延びたｎ本のアドレス線１１と縦方向（垂直走査方向）に延びたｍ本の信号線１２との交差部に、計ｍ×ｎ個の液晶表示素子（以下、画素という）Ｇ１１、・・・、Ｇｍｎがマトリクス状に配置されている。これらの各画素Ｇ１１、・・・、Ｇｍｎは、それぞれＴＦＴ（薄膜トランジスタ）からなるスイッチングトランジスタ１３と、キャパシタ１４および液晶セル１５を有する。液晶セル１５は、第８図に示されるように、画素毎に分離形成された個別電極（画素電極ともいう）と画素毎に共通に形成された共通電極（対向電極ともいう）を有し、個別電極はスイッチングトランジスタ１３およびキャパシタ１４に接続され、共通電極は全ての画素で共通に接続され、一定電位Ｖ０に保持されている。」（４頁右下欄２行目〜１７行）
　なお、縦方向に延びるｍ本の信号線は本件発明1〜4の「信号ライン」に、横方向に延びるｎ本のアドレス線は本件発明1〜4の「ゲートライン」に、ｍ×ｎ個の画素Ｇ１１、・・・、Ｇｍｎ毎に分離形成された画素電極は本件発明1〜4の「画素電極」の領域に、それぞれ相当する。
　また、スイッチングトランジスタ１３は本件発明1〜4の「画素トランジスタ」に相当し、これをＴＦＴ（薄膜トランジスタ）により形成している。
「液晶パネル１２５の信号線１２は、それぞれスイッチングトランジスタ（ＴＦＴ）１６を介して定電位点（この例では液晶セルの共通電極電位Ｖ０の点）に接続されている。スイッチングトランジスタ１６にゲートパルスＰｓｗを与えてスイッチングトランジスタ１６をオン状態にすると、各信号線１２が一定電位、この場合は共通電極電位Ｖ０に充電または放電される。」（５頁左上欄３行〜１０行）
「パルスの３と同位相でゲートパルスＰｓｗが入力されてトランジスタ１６がオンとなり、」（５頁右上欄１０行〜１１行）
「水平プランキング期間の始めにパルスφ３でスイッチ１２４５をオンにする」（５頁右上欄６行〜７行）
「第１３図は本発明の他の実施例における水平駆動回路１２４および液晶パネル１２５の一部を詳細に示した図であり、第５図に示した様に液晶セル１５の印加電圧−透過率特性に閾値Ｖｔｈが存在する場合に、水平駆動回路１２４の出力振幅を減少させることができるようにしたものである。第１３図においては、信号線１２をスイッチ１６を介して共通電極電位Ｖ０の点に接続せず、スイッチ１６および切替スイッチ１９を介してＶ０１＝Ｖ０＋Ｖｔｈ，Ｖ０２＝Ｖ０−Ｖｔｈなる電位の点に選択的に接続するように構成されている。」（７頁左上欄１４行〜同頁右上欄５行）
　ここで、スイッチ１６は上述のＴＦＴから成るスイッチングトランジスタ１６と同じであり、本件発明1〜4の「放電用素子」に相当し、図１３の縦方向に延びる信号ラインにスイッチ１６は接続されている。
　また、切替スイッチ１９及び電位Ｖ０１，Ｖ０２は、本件発明1〜4の「２レベルの所定電位に切り換える手段」に相当する。
「すなわち、これまでの実施例のように信号線１２に映像信号を印加する前に信号線１２の充電（放電）電位を液晶セル１５の共通電極電位Ｖ０に充電（放電）するのではなく、第１４図のタイミングチャートに示すように入力映像信号が正極性の時はスイッチ１９をＶ０１側に、負極性の時はＶ０２側にそれぞれ倒して、共通電極電位Ｖ０に閾値Ｖｔｈを加えた電位に充電（または放電）する構成とする。このようにすると、水平駆動回路１２４の出力は映像信号の変化分Ｖｓ＋あるいはＶｓ‐のみで良く、閾値Ｖｔｈの分を含む必要がないので、その振幅は更に小さくなる。」（７頁右上欄６行〜１８行）
　取消理由通知に引用した刊行物4（異議申立人 セイコーエプソン株式会社が証拠として提出した甲第2号証（特開平2-204718号公報））には次の事項が記載されているか、若しくは、読みとることができる。
「すなわちこの回路において、シフトレジスタ(2)、(4)には例えば第４図Ａ、Ｂに示すようなクロック信号Φ1H、Φ2H、Φ1V、Φ2Vが供給される。そしてシフトレジスタ(2)からは同図Ｃに示すように各画素期間ごとにφH1〜φHmが出力され、シフトレジスタ(4)からは同図Ｄに示すように１水平期間ごとに駆動パルス信号φV1〜φVnが出力される。さらに入力端子(1)には同図Ｅに示すような信号が供給される。」（２頁右上欄８行〜１５行）
「【課題を解決するための手段】
　本発明は、垂直方向に平行に配設された複数の第１の信号線Ｌ1、Ｌ２・・・Ｌｍと、水平方向に平行に配設された複数の第２の信号線Ｇ１、Ｇ２・・・Ｇｎとが設けられ、これらの第１、第２の信号線の各交点にそれぞれ選択素子Ｍ１１、Ｍ１２・・・Ｍｎｍを介して画素電極Ｐ１１、Ｐ１２・・・Ｐｎｍが設けられてなる液晶液晶ディスプレイ装置において、上記第１の信号線に印加される画像信号の極性を所定期間ごとに反転すると共に、上記画像信号の極性反転のタイミング（ＨBLK）で上記第１の信号線の電位を上記画像信号の中間電位（ターゲット端子(3)にプリチャージする手段ＭR1、ＭR2・・・ＭRmを設けるようにしたことを特徴とする液晶ディスプレイ装置である。
　【作用】
　これによれば、信号線の電位を映像信号の反転ごとにその中間電位にプリチャージすることによって、信号の変化される幅が小さくされ、スイッチング素子にかかる負担が小さくされて、小さい素子サイズでも表示画像の画質の劣化を防止することができる。
　【実施例】
　以下、図面を参照して本発明を説明するに、図１は本発明を適用した液晶ディスプレイ装置の一例の構成を示すブロック図である。
  第１図は従来例と同様の単一の液晶ディスプレイ装置の構成を示し、この図１において、上述の垂直（Ｙ軸）方向のラインＬ1〜Ｌmの下端部にそれぞれスイッチング素子ＭR1、ＭR2・・・ＭRmが設けられる。そしてこれらの素子ＭR1〜ＭRmを介してターゲット端子３が接続されると共に、これらの素子ＭR1〜ＭRmの各制御端子が水平ブランキングパルスＨBLKの供給されるリセット端子５に接続される。その他の構成は図３の装置と同様にされる。
　そしてこの装置において、例えば図２のＡに示すような全白（または全黒）の映像信号が入力端子１に供給され、同図のＢに示すような駆動パルス信号φH1〜φHｍでスイッチング素子Ｍ1〜Ｍmがオンされた場合に、リセット端子(5)には同図のＣに示すような水平ブランキングパルスＨBLK が供給され、これによってスイッチング素子ＭR1〜ＭRmがオンされる。
  このため各ラインＬ1〜Ｌmの電位は、各水平ブランキングパルスＨBLK の期間にターゲット電圧にプリチャージされ、さらに駆動パルス信号φH1〜φHｍの期間にこのターゲット電圧から映像信号の電位に変化される。
  従ってこの装置において、パルス信号φH1〜φHmの１パルス期間に変化される信号は最大Ｖｐとなり、従来の装置の１／２にすることができる。このため小さい素子のサイズでも液晶セルの電荷量の書き換えを充分に行うことができ、表示画像のコントラストの低下等による画質の劣化を防止することができる。さらに素子サイズの増大によるチップ面積の増加や、設計上の制約が生じることもない。
　こうしてこの装置によれば、信号線の電位を映像信号の反転ごとにその中間電位にプリチャージすることによって、信号の変化される幅が小さくされ、スイッチング素子にかかる負担が小さくされ、スイッチング素子にかかる負担が小さくされて、小さい素子サイズでも表示画像の画質の劣化が防止することができるものである。
　なお上述の装置においてスイッチング素子は図示のようなＮＭＯＳ素子に限らずＰＭＯＳあるいはＣＭＯＳ素子でもよい。
　またリセット端子(5)に供給される信号も水平ブランキングパルスに限らず映像信号の非有効期間の信号であればいずれでもよい。
　さらにプリチャージを行う電圧はターゲット電圧に限らず、映像信号の任意の中間電位を用いることができる。
　【発明の効果】
　この発明によれば、信号線の電位を映像信号の反転ごとにその中間電位にプリチャージすることによって、信号の変化される幅が小さくされ、スイッチング素子にかかる負担が小さくされて、小さい素子サイズでも表示画像の画質の劣化を防止することができるようになった。」（３頁左上欄１８行〜４頁左上欄１６行）
　取消理由通知に引用した刊行物5（異議申立人 セイコーエプソン株式会社が証拠として提出した甲第3号証（特許第3080054号公報））には次の事項が記載されているか、若しくは、読みとることができる。
「【請求項１】　垂直方向に平行に配設された複数の第１の信号線と、
　水平方向に平行に配設された複数の第２の信号線と、
　これら第１および第２の信号線の各交点にそれぞれ選択素子を介して設けられた液晶セルと、
　上記第２の信号線を順次走査して１行分の画素を選択するシフトレジスタと、
　上記選択された１行分の画素に画像信号を書き込むためのパルス信号を生成するシフトレジスタと
　を有する液晶ディスプレイ装置において、
　上記第１の信号線に供給される画像信号の極性を所定期間ごとに反転する手段と、
　点順次に供給される上記画像信号の上記反転ごとにその反転されたそれぞれの期間の映像信号の任意の中間電位を、上記選択された１行分の画素に画像信号を書き込むためのパルス信号を生成するシフトレジスタとは異なるスイッチング素子により上記第１の信号線にプリチャージする手段を設けた、
ことを特徴とする液晶ディスプレイ装置。」（１頁左下欄３行〜右下欄５行【特許請求の範囲】）
　取消理由通知に引用した刊行物6（異議申立人 セイコーエプソン株式会社が証拠として提出した甲第4号証（特開平2-234440号公報））には次の事項が記載されているか、若しくは、読みとることができる。
「本発明は、・・・多結晶半導体薄膜を用いて形成される薄膜トランジスタ等のような薄膜半導体装置の製造方法に関する。」（１頁左下欄１８行〜右下欄１行）
「例えば、アクティブマトリクス基板に本発明を用いると、ドライバー内蔵高精細パネルが実現する。」（５頁左上欄１８行〜２０行）
　取消理由通知に引用した刊行物7（異議申立人 セイコーエプソン株式会社が証拠として提出した甲第5号証（特開昭63-237571号公報））には次の事項が記載されているか、若しくは、読みとることができる。
「本発明は、透明性絶縁基板上に形成されるアクティブマトリクスあるいはイメージセンサーの画素のスイッチング素子あるいは駆動回路に用いられるＣＭＯＳ（略）型多結晶シリコン薄膜トランジスタにおいて、・・・」（１頁左下欄１９行〜右上欄５行）
　取消理由通知に引用した刊行物8（異議申立人 セイコーエプソン株式会社が証拠として提出した甲第6号証（特開昭63-307431号公報））には次の事項が記載されているか、若しくは、読みとることができる。
「本発明では、薄膜半導体装置において、（１１１）を主たる配向とする多結晶シリコン膜を能動層とする半導体装置を用いて、周辺駆動回路の能動素子、表示部の能動素子の少なくとも一方を構成することを特徴とする。」（２頁右上欄１２行〜１７行）
　エ．対比・判断
　(1)本件発明1について
　刊行物4に記載された「液晶ディスプレイ装置」に係る発明（以下、刊行物4記載の発明という。）の「複数の第１の信号線Ｌ1〜Ｌm」、「複数の第２の信号線Ｇ１、Ｇ２・・・Ｇｎ」、「画素電極Ｐ１１、Ｐ１２・・・Ｐｎｍ」、「選択素子Ｍ１１、Ｍ１２・・・Ｍｎｍ」、「スイッチング素子ＭR1、ＭR2・・・ＭRm」、「液晶ディスプレイ装置」は、それぞれ、本件発明1の「信号ライン」、「ゲートライン」、「画素電極」、「画素トランジスタ」、「放電用素子」、「アクティブマトリクス液晶表示装置」に対応し、それぞれの対応に格別の差異はない。
　そして、刊行物4記載の発明は、明示の記載はないが、本件発明1の「一方の基板」、「対向電極」、「他方の基板」、「液晶層」を備えることは明らかである。
　また、刊行物4記載の発明は、その２頁右上欄８行〜１５行の記載からして、本件発明1の「アクティブマトリクス液晶表示装置」と同様に「点順次駆動型」であることは明らかである。
　更にまた、刊行物4記載の発明は、本件発明1と同様に「各行の画素電極に保持された画像信号の電位を書き換える前に所定の電位に調整する放電用素子を各信号ラインに接続している」ことは明らかである。
　更にまた、刊行物4記載の発明は、「プリチャージを行う電圧はターゲット電圧に限らず、映像信号の任意の中間電位を用いることができる」（４頁左上欄６行〜８行）と記載されていることからして、本件発明1と同様に「画像信号の反転に応じて信号ラインの電位を異なる２レベルの所定電位に切り換えている」ことは明らかである。
　そこで、本件発明1と刊行物4記載の発明とを対比すると、両者は、「信号ラインとゲートラインが行列状に配列され、各交点に画素電極及びこの画素電極を駆動する画素トランジスタを有する一方の基板と、対向電極を有し前記一方の基板と対向配置された他方の基板と、両方の基板に保持された液晶層とを有する点順次駆動型のアクティブマトリクス液晶表示装置において、
　各行の画素電極に保持された画像信号の電位を書き換える前に所定の電位に調整する放電用素子を各信号ラインに接続し、画像信号の反転に応じて信号ラインの電位を異なる２レベルの所定電位に切り換える手段を、前記放電用素子に接続したアクティブマトリクス液晶表示装置」という点で一致し、次の点（以下、相違点という。）で相違している。
　相違点：本件発明1は、「対向電極の電位をＶｃｏｍとし、画像信号の電位がＶｃｏｍに対して＋Ｖと−Ｖの間で反転するとき、異なる２レベルの所定電位は、Ｖｃｏｍ＋Ｖ／２とＶｃｏｍ−Ｖ／２とに設定」しているのに対して、刊行物4記載の発明は、「異なる２レベルの所定電位を、画像信号の反転されたそれぞれの期間の映像信号の任意の中間電位に設定」している点。
　そこで、上記相違点について検討する。
　刊行物1には、「信号ラインとゲートラインが行列状に配列され、各交点に画素電極及びこの画素電極を駆動する画素トランジスタを有する一方の基板と、対向電極を有し前記一方の基板と対向配置された他方の基板と、両方の基板に保持された液晶層とを有するアクティブマトリクス液晶表示装置において、
　各行の画素電極に保持された画像信号の電位を書き換える前に所定の電位に調整する放電用素子を各信号ラインに接続し、画像信号の反転に応じて信号ラインの電位を異なる２レベルの所定電位に切り換える手段を、前記放電用素子に接続したアクティブマトリクス液晶表示装置」において、その２レベルの所定電位を「正負極性の映像信号をそれぞれの積分回路で積分して得られる正負極性の電位」とすることが記載されている。
　そして、上記積分回路は、正負極性の映像信号のそれぞれの平均値を算出する回路であるから、映像信号に特別の偏りがない場合には、正負極性の映像信号の最大電圧の絶対値をＶとしたときに、正極性の映像信号に対しては＋１／２Ｖを、そして、負極性の映像信号に対しては−１／２Ｖが、出力されることは自明のことであるから、上記数値に基づいて本件発明1のように、「対向電極の電位をＶｃｏｍとし、画像信号の電位がＶｃｏｍに対して＋Ｖと−Ｖの間で反転するとき、異なる２レベルの所定電位は、Ｖｃｏｍ＋Ｖ／２とＶｃｏｍ−Ｖ／２とする」ことは容易になし得ることである。
　したがって、刊行物4記載の発明に対して、刊行物1に記載の上記技術的事項を適用して、本件発明1の如く構成することは当業者であれば容易に想到し得ることである。
　(2)本件発明2について
　本件発明2は、本件発明1を「画素トランジスタが多結晶半導体膜からなる薄膜トランジスタであるとともに、前記一方の基板上に水平駆動回路及び垂直駆動回路が形成する」と限定するものであるが、その点は刊行物２、６〜８に示されるように周知である。
　したがって、本件発明2は、上記「(1)本件発明1について」に記載した理由と同様の理由により、当業者が容易に発明をすることができたものである。
　(3)本件発明3について
　本件発明3は、本件発明2を「放電用素子も薄膜トランジスタから構成する」と限定するものであるが、その点は、刊行物1の５頁左上欄４行に「スイッチングトランジスタ（ＴＦＴ）１６」と記載されているように、周知または自明の事項である。
　したがって、本件発明3は、上記「(2)本件発明2について」に記載した理由と同様の理由により、当業者が容易に発明をすることができたものである。
　(4)本件発明4について
　本件発明4は、本件発明1を方法の発明として表現し直すとともに、「（ｊ−１）行目の画素電極に画像信号を書き込んだ後、ｊ行目の画素電極に画像信号を書き込む直前信号ラインを介して当該ｊ行目の画素電極に保持されていた前の電荷を放電する」点に限定するものである。
　ところが、刊行物4に記載の発明も「（ｊ−１）行目の画素電極に画像信号を書き込んだ後、ｊ行目の画素電極に画像信号を書き込む直前信号ラインを介して当該ｊ行目の画素電極に保持されていた前の電荷を放電する」ものである。
　そして、本件発明4の残余の技術的事項については、上記「(1)本件発明1について」に記載したと同様に、刊行物4及び1に基づいて当業者が容易になし得ることである。
　したがって、特許法第39条の規定について検討するまでもなく、本件発明4は、上記「(1)本件発明1について」に記載した理由と同様の理由により、当業者が容易に発明をすることができたものである。
４．むすび
  以上のとおり、本件発明1〜4は、特許法第29条第2項の規定に違反して特許されたものであるから、本件発明1〜4についての特許は拒絶の査定をしなければならない特許出願に対してされたものである。
　したがって、特許法等の一部を改正する法律（平成6年法律第116号）附則第14条の規定に基づく、特許法等の一部を改正する法律の一部の施行に伴う経過措置を定める政令（平成7年政令第205号）第4条第1項及び第2項の規定により、上記のとおり決定する。
【異議決定日】
平成１４年２月１２日（２００２．２．１２）
【訂正の要旨】
訂正の内容
　訂正事項ａ
　特許第３１２８９６５号発明の「特許請求の範囲」を、特許請求の範囲の減縮を目的として、以下の様に訂正する。
「【特許請求の範囲】
　【請求項１】　信号ラインとゲートラインが行列状に配列され、各交点に画素電極及びこの画素電極を駆動する画素トランジスタを有する一方の基板と、対向電極を有し前記一方の基板と対向配置された他方の基板と、両方の基板に保持された液晶層とを有する点順次駆動型のアクティブマトリクス液晶表示装置において、
　各行の画素電極に保持された画像信号の電位を書き換える前に所定の電位に調整する放電用素子を各信号ラインに接続し、画像信号の反転に応じて信号ラインの電位を異なる２レベルの所定電位に切り換える手段を、前記放電用素子に接続した
構成であって、
　対向電極の電位をＶｃｏｍとし、画像信号の電位がＶｃｏｍに対して＋Ｖと−Ｖの間で反転するとき、
　該異なる２レベルの所定電位は、Ｖｃｏｍ＋Ｖ／２とＶｃｏｍ−Ｖ／２とに設定する
　【請求項２】　前記画素トランジスタが多結晶半導体膜からなる薄膜トランジスタであるとともに、前記一方の基板上に水平駆動回路及び垂直駆動回路が形成されている事を特徴とする請求項１記載のアクティブマトリクス液晶表示装置。
　【請求項３】　前記放電用素子も薄膜トランジスタから構成されている事を特徴とする請求項２記載の液晶表示装置。
　【請求項４】　信号ラインとゲートラインが行列状に配列され、各交点に画素電極及びこの画素電極を駆動する画素トランジスタを有する一方の基板と、対向電極を有し前記一方の基板と対向配置された他方の基板と、両方の基板に保持された液晶層とを有する点順次駆動型のアクティブマトリクス液晶表示装置の駆動方法において、
　（ｊ−１）行目の画素電極に画像信号を書き込んだ後、ｊ行目の画素電極に画像信号を書き込む直前信号ラインを介して当該ｊ行目の画素電極に保持されていた前の電荷を放電し、且つ画像信号の反転に応じて信号ラインの電位を異なる２レベルの電位に切換える
方法であって、
　対向電極の電位をＶｃｏｍとし、画像信号の電位がＶｃｏｍに対して＋Ｖと−Ｖの間で反転するとき、
　該異なる２レベルの電位を、Ｖｃｏｍ＋Ｖ／２とＶｃｏｍ−Ｖ／２とに設定する
　訂正事項ｂ
　特許第３１２８９６５号発明の明細書の段落０００６、００１６及び００１７を、明りょうでない記載の釈明を目的として以下の様に訂正する。
「　　　【０００６】
　【課題を解決するための手段】
　上述した従来の技術の課題に鑑み、本発明は点順次駆動型のアクティブマトリクス液晶表示装置の極性反転駆動を行なう際画像信号の書き込み動作を安定化する事を目的とする。かかる目的を達成する為に以下の手段を講じた。即ち、本発明にかかるアクティブマトリクス液晶表示装置は、基本的な構成要素として、信号ラインとゲートラインが行列状に配列され各交点に画素電極及びこの画素電極を駆動する画素トランジスタを有する一方の基板と、対向電極を有し前記一方の基板と対向配置された他方の基板と、両方の基板に保持された液晶層とから構成されている。本発明の特徴事項として、各行の画素電極に保持される画像信号の電位を書き換える前に所定の電位に調整する放電用素子を各信号ラインに接続するという手段を講じた。さらに、画像信号の反転に応じて信号ラインの電位を異なる２レベルの所定電位に切り換える手段を、前記放電用素子に接続した。
ここで、対向電極の電位をＶｃｏｍとし、画像信号の電位がＶｃｏｍに対して＋Ｖと−Ｖの間で反転するとき、該異なる２レベルの所定電位は、Ｖｃｏｍ＋Ｖ／２とＶｃｏｍ−Ｖ／２とに設定する。
　【００１６】
　図５は本発明にかかるアクティブマトリクス液晶表示装置の実施例を示す模式的なブロック図である。基本的に、図１と同一の構成を有しており、理解を容易にする為に対応する部分には対応する参照番号あるいは参照符号を付してある。図１と異なる点は、放電用トランジスタ７のソース電極が対向電極に接続されているのではなく、共通の切り換えスイッチＳＷを介して選択的に異なった２レベルの定電位ラインに接続されている事である。２つの異なった電位レベル
は、
　【００１７】
　【発明の効果】
　以上説明した様に、本発明によれば、アクティブマトリクス液晶表示装置において、各信号ライン毎に画像信号サンプリング用の水平スイッチトランジスタとは別に、追加の放電用トランジスタを接続し、各行の書き込み動作を行なう直前に、一旦当該行の画素に保持されていた信号電荷を放電する様にしている。即ち、画像信号を書き込む直前に極性反転に応じて信号ラインの電位は異なる２レベルの電位
としてＶｃｏｍ＋Ｖ／２とＶｃｏｍ−Ｖ／２と
（５４）【発明の名称】
アクティブマトリクス液晶表示装置
（５７）【特許請求の範囲】
　【請求項１】　信号ラインとゲートラインが行列状に配列され、各交点に画素電極及びこの画素電極を駆動する画素トランジスタを有する一方の基板と、対向電極を有し前記一方の基板と対向配置された他方の基板と、両方の基板に保持された液晶層とを有する点順次駆動型のアクティブマトリクス液晶表示装置において、
　各行の画素電極に保持された画像信号の電位を書き換える前に所定の電位に調整する放電用素子を各信号ラインに接続し、画像信号の反転に応じて信号ラインの電位を異なる２レベルの所定電位に切り換える手段を、前記放電用素子に接続した
構成であって、
　対向電極の電位をＶｃｏｍとし、画像信号の電位がＶｃｏｍに対して＋Ｖと−Ｖの間で反転するとき、
　該異なる２レベルの所定電位は、Ｖｃｏｍ＋Ｖ／２とＶｃｏｍ−Ｖ／２とに設定する
　【請求項２】　前記画素トランジスタが多結晶半導体膜からなる薄膜トランジスタであるとともに、前記一方の基板上に水平駆動回路及び垂直駆動回路が形成されている事を特徴とする請求項１記載のアクティブマトリクス液晶表示装置。
　【請求項３】　前記放電用素子も薄膜トランジスタから構成されている事を特徴とする請求項２記載の液晶表示装置。
　【請求項４】　信号ラインとゲートラインが行列状に配列され、各交点に画素電極及びこの画素電極を駆動する画素トランジスタを有する一方の基板と、対向電極を有し前記一方の基板と対向配置された他方の基板と、両方の基板に保持された液晶層とを有する点順次駆動型のアクティブマトリクス液晶表示装置の駆動方法において、
　（ｊ−１）行目の画素電極に画像信号を書き込んだ後、ｊ行目の画素電極に画像信号を書き込む直前信号ラインを介して当該ｊ行目の画素電極に保持されていた前の電荷を放電し、且つ画像信号の反転に応じて信号ラインの電位を異なる２レベルの電位に切換える
方法であって、
　対向電極の電位をＶｃｏｍとし、画像信号の電位がＶｃｏｍに対して＋Ｖと−Ｖの間で反転するとき、
　該異なる２レベルの電位を、Ｖｃｏｍ＋Ｖ／２とＶｃｏｍ−Ｖ／２とに設定する
【発明の詳細な説明】
　【０００１】
　【産業上の利用分野】
　本発明は行列状に配列された画素を有するアクティブマトリクス液晶表示装置に関する。より詳しくは、行毎に画像信号の書き換えを行なう際画素電位の安定化を図る駆動技術に関する。
　【０００２】
　【従来の技術】
　図６を参照して従来のアクティブマトリクス液晶表示装置の一般的な構成を簡潔に説明する。複数のゲートライン１０１と複数の信号ライン１０２は互いに直交する様に配列されている。各交点には液晶画素１０３が形成されている。個々の画素１０３は液晶セルＬＣと補助容量ＣＳと画素トランジスタ１０４とから構成されている。液晶セルは共通の対向電極と個々の画素電極との間に挟持された液晶からなる。対向電極には一定の電圧Ｖｃｏｍが印加されている。画素トランジスタ１０４のゲート電極にはゲートライン１０１が接続されており、ドレイン電極には信号ライン１０２が接続されており、ソース電極には対応液晶セルの画素電極が接続されている。画素トランジスタ１０４はゲートライン１０１を介して選択された時信号ライン１０２から画像信号をサンプリングし液晶セルＬＣを駆動する。液晶画素１０３は線順次で行毎に選択される。選択された各行の画素に対して、例えば点順次で画像信号が書き込まれる。
　【０００３】
　一般に液晶の劣化を防ぐ為交流駆動が行なわれる。これは、対向電極の電位Ｖｃｏｍに対し画像信号の振幅を正負に極性反転して行なう。極性反転は１フィールド毎に行なう１Ｆ反転か、１行毎に行なう１Ｈ反転の二通りの方法がある。１Ｆ反転はフリッカが生じるという不具合があるので、一般的に１Ｈ反転が採用される事が多い。
　【０００４】
　【発明が解決しようとする課題】
　図７は１Ｈ反転駆動のタイミングチャートである。行毎の画素選択は水平同期信号ＨＤに従って制御される。画像信号の極性反転は水平同期信号の周期に対応して行なわれる。例えば（ｊ−１）行目の画素に対して正極性の画像信号が書き込まれた場合には、次のｊ行目の画素には負極性の画像信号が書き込まれる。ｊ行目の画素が選択された状態で、水平駆動回路のシフトレジスタに水平スタート信号ＨＳＴが入力されると、各信号ラインを介して順次ｊ行目の画素に画像信号が書き込まれる。
　【０００５】
　１画素に割り当てられる書き込み時間はΔＴで表わされており、極めて短い。この１Ｈ反転駆動において各画素に画像信号を書き込む場合、前回の選択期間中正極性の画像信号Ｖｃｏｍ＋Ｖを書き込んだ時には、今回の選択では負極性の画像信号Ｖｃｏｍ−Ｖを書き込む事になる。しかしながら、当該画素には前回の画像信号Ｖｃｏｍ＋Ｖが保持されているので、Ｖｃｏｍ−Ｖを書き込む為には、２Ｖ分の電荷を画素に充電する必要がある。しかしながら、各画素に割り当てられた書き込み時間は極めて短い為、充電不足が生じ所定の画像信号レベルが得られない為電圧シフトΔＶが生じ輝点欠陥や表示ムラ等の画像不均一性が生じるという課題があった。
　【０００６】
　【課題を解決するための手段】
　上述した従来の技術の課題に鑑み、本発明は点順次駆動型のアクティブマトリクス液晶表示装置の極性反転駆動を行なう際画像信号の書き込み動作を安定化する事を目的とする。かかる目的を達成する為に以下の手段を講じた。即ち、本発明にかかるアクティブマトリクス液晶表示装置は、基本的な構成要素として、信号ラインとゲートラインが行列状に配列され各交点に画素電極及びこの画素電極を駆動する画素トランジスタを有する一方の基板と、対向電極を有し前記一方の基板と対向配置された他方の基板と、両方の基板に保持された液晶層とから構成されている。本発明の特徴事項として、各行の画素電極に保持される画像信号の電位を書き換える前に所定の電位に調整する放電用素子を各信号ラインに接続するという手段を講じた。さらに、画像信号の反転に応じて信号ラインの電位を異なる２レベルの所定電位に切り換える手段を、前記放電用素子に接続した。
ここで、対向電極の電位をＶｃｏｍとし、画像信号の電位がＶｃｏｍに対して＋Ｖと−Ｖの間で反転するとき、該異なる２レベルの所定電位は、Ｖｃｏｍ＋Ｖ／２とＶｃｏｍ−Ｖ／２とに設定する。
　【０００７】
　【作用】
　本発明においては、例えば（ｊ−１）行目の画素電極に画像信号を書き込んだ後、ｊ行目の画素電極に画像信号を書き込む直前信号ラインを介して当該ｊ行目の画素電極に保持されていた前の電荷を放電用素子により放電する様にしている。なお、この放電用素子は画素トランジスタと同様に例えば薄膜トランジスタで構成する事ができる。この放電により、画素電極の電位は所定電位と同電位になる様に調整される。従って、従来２Ｖ分の電荷を充電して画素書き込みを行なう必要があったのに対して、本発明によれば所定電位を差し引いた分に相当する電荷の充電で済み、書き込み不足による輝点欠陥やムラ欠陥を改善する事ができる。特に、極性反転に応じて調整電位を適宜切り換える様にして、一層書込み効率を改善している。
　【０００８】
　【実施例】
　以下図面を参照して本発明の好適な実施例を詳細に説明する。図１は本発明にかかるアクティブマトリクス液晶表示装置の基本的な構成を示す模式的なブロック図である。本装置はｎ本のゲートライン１とｍ本の信号ライン２とが互いに直交配列した構造を有している。ゲートライン１と信号ライン２の各交点には液晶画素３が形成されており、全体として行列状に集積され表示画面を構成する。個々の液晶画素３は液晶セルＬＣと補助容量ＣＳと画素トランジスタ４とから構成されている。液晶セルＬＣは共通の対向電極と個々の画素電極との間に保持された液晶から構成されている。画素電極は一方の基板内表面に形成され、対向電極は他方の基板の内表面に形成される。画素トランジスタ４のゲート電極はゲートライン１に接続され、ドレイン電極は信号ライン２に接続され、ソース電極は対応する液晶画素３の画素電極に接続される。画素トランジスタ４は例えば多結晶シリコン薄膜からなる薄膜トランジスタである。
　【０００９】
　ｎ本のゲートライン１は垂直駆動回路を構成する垂直シフトレジスタ５に接続されている。この垂直シフトレジスタ５は一対のクロック信号ＶＣＫ１，ＶＣＫ２により駆動され、垂直スタート信号ＶＳＴに応答して、順次ｎ本のゲートライン１を選択走査する。選択走査された信号ライン２に接続する画素トランジスタ４が導通し当該行に属する液晶画素３が一斉に選択される。
　【００１０】
　一方ｍ本の信号ライン２は各々対応する水平スイッチＨＳＷを介して画像信号ラインに接続されている。この画像信号ラインには、例えばＲＧＢカラー画像信号が供給される。各信号ライン２に接続された水平スイッチＨＳＷは水平駆動回路を構成する水平シフトレジスタ６により切り換え駆動される。水平シフトレジスタ６は一対の水平クロック信号ＨＣＫ１，ＨＣＫ２に従って動作し、水平スタート信号ＨＳＴに応答して順次ＨＳＷを切り換え選択する。順次導通した水平スイッチＨＳＷを介して各信号ライン２に画像信号がサンプリングされ、選択された行の液晶画素３に画素トランジスタ４を介して書き込まれる。水平スイッチＨＳＷや水平シフトレジスタ６あるいは垂直シフトレジスタ５を構成するトランジスタ群も画素トランジスタ４と同様に多結晶シリコン等の薄膜トランジスタから構成されている。
　【００１１】
　本発明の特徴事項として、各信号ライン２には放電用素子例えば放電用トランジスタ７が接続されている。放電用トランジスタ７のゲート電極は共通に結線されており制御信号ＶＳに応答してスイッチングを行なう。個々の放電用トランジスタ７のドレイン電極は対応する信号ライン２に接続されているとともに、そのソース電極は対向電極に共通結線されている。個々の放電用トランジスタ７は対応する信号ライン２を介して、選択された行の液晶画素３に蓄積されていた電荷を放電し対向電極電位Ｖｃｏｍにリセットする為のものである。放電用トランジスタ７は例えば水平スイッチＨＳＷを構成するトランジスタと同等のものでよく、ＨＳＷを形成する際同時に薄膜トランジスタとして作成する事が可能である。
　【００１２】
　次に、図２，図３及び図４を参照して本発明にかかるアクティブマトリクス液晶表示装置の動作を詳細に説明する。最初に、図２は図１に示した垂直シフトレジスタの動作を説明する為のタイミングチャートである。垂直シフトレジスタは垂直同期信号ＶＤに従ってフィールド毎にゲートラインの線順次走査を行なう。垂直同期信号ＶＤが発生した後入力される垂直スタート信号ＶＳＴに応答して垂直シフトレジスタ５は順次ゲート信号をゲートラインに供給する。垂直シフトレジスタは一対の垂直クロック信号ＶＣＫ１，ＶＣＫ２に応答して動作し、１番目からｎ番目のゲートラインを線順次でアクセスする。本実施例では１Ｈ反転駆動が行なわれる。従って、ゲートラインの線順次選択に合わせて画像信号の極性反転が行なわれる。
　【００１３】
　図３は図１に示した水平シフトレジスタの動作を説明する為のタイミングチャートである。水平シフトレジスタ６は水平同期信号ＨＤに従って、選択された行の液晶画素に対する画像書き込みを制御する。本例では、各行に対する書き込みは一斉に行なわれるのではなく、画素毎に順次行なわれる。水平同期信号ＨＤが発生した後水平スタート信号ＨＳＴが水平シフトレジスタ６に入力され動作を開始する。水平シフトレジスタ６は一対の水平クロック信号ＨＣＫ１，ＨＣＫ２に従って駆動し、順次水平スイッチＨＳＷを導通して、１番目からｍ番目の信号ラインに画像信号をサンプリングする。この際、１Ｈ反転を行なうので、例えば１行前の（ｊ−１）行目で正極性の画像信号が書き込まれた場合には、今回のｊ行に対して負極性の画像信号が書き込まれる。
　【００１４】
　本発明の特徴事項として、制御信号ＶＳが水平周期に従って生成される。図３に示す様に、制御信号ＶＳのパルスは、水平同期信号ＨＤのパルスが発生した後水平スタート信号ＨＳＴのパルスが発生する直前に出力される。換言すると、例えばｊ行目の画素が選択された直後で且つ画素に対する書き込みが開始される直前に、制御信号ＶＳのパルスが発生する。従って、制御信号ＶＳのパルスが発生した時点では、各信号ラインは対応する画素トランジスタを介して画素電極に電気的に導通しているが、未だ画像信号がサンプリング供給されていない状態にある。
　【００１５】
　図４は個々の放電用トランジスタの動作を説明する為のタイミングチャートである。このタイミングチャートでは、前段の（ｊ−１）行の画素に対してＶｃｏｍ＋Ｖの画像信号が書き込まれ、当該段のｊ行目の画素に極性反転されたＶｃｏｍ−Ｖの画像信号が書き込まれる。前述した様に、制御信号ＶＳのパルスが発生した時点では、既にｊ行目の画素が選択されている。従って、各画素に保持されていた電荷は、放電用トランジスタが一斉に導通する事により全ての信号ラインを介して対向電極側に放電される。従って、画像信号レベルはＶｃｏｍ＋Ｖから速やかに対向電極電位Ｖｃｏｍにまでリセットされる。その後、各信号ラインに順次極性反転された画像信号がサンプリングされる。１個の画素に割り当てられた書き込み時間ΔＴの間に−Ｖ分に相当する電荷を充電すれば良い。従来に比し電荷量が半減するので、十分な書き込みが行なえ電圧シフトΔＶは実質的に零になる。
　【００１６】
　図５は本発明にかかるアクティブマトリクス液晶表示装置の実施例を示す模式的なブロック図である。基本的に、図１と同一の構成を有しており、理解を容易にする為に対応する部分には対応する参照番号あるいは参照符号を付してある。図１と異なる点は、放電用トランジスタ７のソース電極が対向電極に接続されているのではなく、共通の切り換えスイッチＳＷを介して選択的に異なった２レベルの定電位ラインに接続されている事である。２つの異なった電位レベル
は、
　【００１７】
　【発明の効果】
　以上説明した様に、本発明によれば、アクティブマトリクス液晶表示装置において、各信号ライン毎に画像信号サンプリング用の水平スイッチトランジスタとは別に、追加の放電用トランジスタを接続し、各行の書き込み動作を行なう直前に、一旦当該行の画素に保持されていた信号電荷を放電する様にしている。即ち、画像信号を書き込む直前に極性反転に応じて信号ラインの電位は異なる２レベルの電位
としてＶｃｏｍ＋Ｖ／２とＶｃｏｍ−Ｖ／２と
【図面の簡単な説明】
　【図１】
　本発明にかかるアクティブマトリクス液晶表示装置の概念を示す模式的なブロック図である。
　【図２】
　図１に示す装置に含まれる垂直シフトレジスタの動作を説明する為のタイミングチャートである。
　【図３】
　同じく水平シフトレジスタの動作を説明する為のタイミングチャートである。
　【図４】
　同じく放電用トランジスタの動作を説明する為のタイミングチャートである。
　【図５】
　本発明にかかるアクティブマトリクス液晶表示装置の実施例を示す模式的なブロック図である。
　【図６】
　従来のアクティブマトリクス液晶表示装置の一般的な構成を示すブロック図である。
　【図７】
　従来のアクティブマトリクス液晶表示装置の課題を説明する為のタイミングチャートである。
　【符号の説明】
　　　　１　　　　ゲートライン
　　　　２　　　　信号ライン
　　　　３　　　　液晶画素
　　　　４　　　　画素トランジスタ
　　　　５　　　　垂直シフトレジスタ
　　　　６　　　　水平シフトレジスタ
　　　　７　　　　放電用トランジスタ
　　　　ＬＣ　　　液晶セル
　　　　Ｖｃｏｍ　対向電極電位
　　　　ＶＳ　　　制御信号